(57)【要約】【課題】出隅部材が変形し難い出隅構造及びこれに用いられる出隅部材を提供する。【解決手段】出隅１０を有する壁下地１に複数の壁材３が上下方向に複数段鎧張りされ、その各段において、出隅１０の両側に位置する一対の壁材３１，３２の各出隅１０側の端部が出隅部材４によって覆われる。出隅部材４は、壁下地１に当接固定される固定部を備える。【選択図】図１
2019002267.tif 000002
【特許請求の範囲】
【請求項１】
出隅を有する壁下地に複数の壁材が上下方向に複数段鎧張りされ、その各段において、前記出隅の両側に位置する一対の壁材の各前記出隅側の端部が出隅部材によって覆われた出隅構造であって、
前記出隅部材は、前記壁下地に当接固定される固定部を備えたことを特徴とする出隅構造。
【請求項２】
前記出隅部材は、前記一対の壁材における前記出隅側端と当接する当接部を備えたことを特徴とする請求項１に記載の出隅構造。
【請求項３】
前記出隅部材は、
前記一対の壁材のうちの一方の前記壁材の前記出隅側の端部から他方の前記壁材の前記出隅側の端部に亘ってカバーするカバー部を更に備え、
前記固定部は、前記カバー部から前記壁下地側に向かって延びて、該壁下地に当接固定され、
前記固定部に前記当接部が設けられていることを特徴とする請求項２に記載の出隅構造。
【請求項４】
前記固定部は、
前記壁下地に当接固定される固定片部と、
前記カバー部から前記壁下地側に延びて前記カバー部と前記固定片部とを連結する連結片部と、を有し、
前記連結片部が前記壁材の前記出隅側端に当接する前記当接部を兼ねることを特徴とする請求項３に記載の出隅構造。
【請求項５】
前記出隅部材は、
前記一対の壁材の各々における、前記出隅側の端部を上下方向の全長に亘ってカバーするカバー部を更に備えることを特徴とする請求項１に記載の出隅構造。
【請求項６】
出隅を有する壁下地に複数の壁材が上下方向に複数段鎧張りされ、その各段において、前記出隅の両側に位置する一対の壁材の各前記出隅側の端部を覆う出隅部材であって、
前記壁下地に当接固定される固定部を備えたことを特徴とする出隅部材。
【発明の詳細な説明】
【技術分野】
【０００１】
本発明は、出隅構造及びこれに用いられる出隅部材に関する。
【背景技術】
【０００２】
特許文献１には、鎧張りの壁のコーナー部の構造が開示されている。この構造では、コーナー部の両側に鎧張りされた壁材の間を覆うようにコーナーカバーが配設されている。コーナーカバーの両側端には、両側の壁材の側端部の表面に重なる重なり部が形成されている。
【先行技術文献】
【特許文献】
【０００３】
【特許文献１】実公平３−３３８８５号公報
【発明の概要】
【発明が解決しようとする課題】
【０００４】
ところで、前記コーナーカバーと壁下地との間には隙間がある。このため、コーナーカバーに対して壁下地側に向かう外力が加わった場合には、コーナーカバーが変形する恐れがある。
【０００５】
本発明は前記事情に鑑みてなされたものであって、出隅部材が変形し難い出隅構造及びこれに用いられる出隅部材を提供することを目的とする。
【課題を解決するための手段】
【０００６】
本発明に係る一態様の出隅構造は、出隅を有する壁下地に複数の壁材が上下方向に複数段鎧張りされ、その各段において、前記出隅の両側に位置する一対の壁材の各前記出隅側の端部が出隅部材によって覆われた出隅構造であって、前記出隅部材は、前記壁下地に当接固定される固定部を備えたことを特徴とする。
【０００７】
また、本発明に係る一態様の出隅部材は、出隅を有する壁下地に複数の壁材が上下方向に複数段鎧張りされ、その各段において、前記出隅の両側に位置する一対の壁材の各前記出隅側の端部を覆う出隅部材であって、前記壁下地に当接固定される固定部を備えたことを特徴とする。
【発明の効果】
【０００８】
本発明に係る出隅構造及び出隅部材にあっては、出隅部材の固定部が壁下地に当接固定されるため、固定部と壁下地との間に隙間が介在せず、固定部の変形を防ぐことが可能となる。
【図面の簡単な説明】
【０００９】
【図１】図１は、本発明に係る一実施形態の出隅構造を示す斜視図である。
【図２】図２は、同上の出隅構造の正面図である。
【図３】図３は、図２のＡ−Ａ線断面図である。
【図４】図４は、同上の出隅構造に用いられる出隅部材の斜視図である。
【図５】図５Ａ〜図５Ｄは、同上の出隅部材を示し、図５Ａは正面図であり、図５Ｂは側面図であり、図５Ｃは底面図であり、図５Ｄは平面図である。
【図６】図６は、変形例１の出隅構造の水平断面図である。
【図７】図７は、変形例１の出隅部材の斜視図である。
【図８】図８は、変形例２の出隅構造の水平断面図である。
【図９】図９は、変形例２の出隅部材の斜視図である。
【図１０】図１０は、変形例３の出隅構造の斜視図である。
【図１１】図１１は、変形例３における図３に対応する断面図である。
【図１２】図１２Ａは、変形例３の出隅部材を表側から見たときの斜視図である。図１２Ｂは、同出隅部材を裏側から見たときの斜視図である。
【発明を実施するための形態】
【００１０】
以下に示す実施形態は、出隅構造及びこれに用いられる出隅部材に関し、詳しくは、出隅を有する壁下地に複数の壁材が上下方向に複数段鎧張りされた出隅構造及びこれに用いられる出隅部材に関する。
【００１１】
図１〜図３に示す本実施形態の出隅構造は、住宅等の建物における外壁の出隅部分を構成している。本実施形態の出隅構造は、出隅１０を有する壁下地１と、壁下地１に対して上下方向に複数段鎧張りされた複数の壁材（外壁材）３と、出隅１０を介して隣り合う一対の壁材３の間を覆う複数の出隅部材４とを備えている。
【００１２】
（壁下地）
図３に示すように、本実施形態の壁下地１は、複数の下地板１１で構成されている。複数の下地板１１は、出隅柱１２０を含む複数の柱材１２に、複数の構造用面材１６、透湿防水シート１３及び複数の縦胴縁１４を介して固定されている。各下地板１１は、例えば合板又はＯＳＢ（Oriented Strand Board）等の木質系ボードからなる。なお、壁下地１は、胴縁や柱材等から構成されてもよい。
【００１３】
複数の下地板１１は、出隅柱１２０に縦胴縁１４を介して固定された一対の下地板１１０，１１１を含んでいる。一対の下地板１１０，１１１は、出隅柱１２０の屋外側において、一方の下地板１１０の裏面に他方の下地板１１１の端面が接している。これにより、一対の下地板１１０，１１１は、平面視において直角に交わっている。本実施形態ではこれら一対の下地板１１０，１１１で成す直角の角部が、壁下地１の出隅１０となっている。
【００１４】
壁下地１は、一対の下地板１１０，１１１のうちの一方の下地板１１０の表面で構成された第１下地面２１と、他方の下地板１１１の表面とこれと面一の下地板１１０の端面とで構成された第２下地面２２とを備えている。第１下地面２１と第２下地面２２は、出隅１０を介して隣接しており、互いに垂直である。
【００１５】
（壁材）
壁下地１には、複数の壁材３が、防水紙１５を介して上下方向に複数段鎧張りされている。本実施形態の壁材３は、平板状の平型化粧スレートであり、正面視で左右方向（壁下地１に沿った水平な方向）に長い矩形板状に形成されている。なお、壁材３は、無垢材や集成材等の木製外壁材や、天然スレート等であってもよい。また、壁材３は、その他の窯業系サイディングや金属サイディングなどであってもよい。
【００１６】
本実施形態の複数の壁材３は、図１に示すように、上下方向に隣り合う壁材３が、左右方向における位置がずれるように千鳥張りされている。なお、複数の壁材３は、上下方向に隣り合う壁材３同士が、左右方向の位置が揃うように設けられてもよい。
【００１７】
壁材３は、下部が下段の壁材３の上部の表面に重なっている。壁材３において上段の壁材３に覆われる上部には、図示しない釘等の固着具が複数貫通している。これら複数の固着具は、壁下地１に打ち込まれている。これにより、壁材３は壁下地１に固定されている。本実施形態の壁材３は、上端部の表面が１段上の壁材３と２段上の壁材３とで２重に覆われている。
【００１８】
各段の複数の壁材３は、出隅１０の両側に位置する一対の壁材３１，３２を含んでいる。一対の壁材３１，３２は、互いに上下方向の位置を揃えて、出隅１０を介して隣り合っている。
【００１９】
図３に示すように、一対の壁材３１，３２の間には、出隅１０の屋外側に位置する隙間３３が形成されている。以下、必要に応じて、一対の壁材３１，３２のうち、壁下地１の第１下地面２１に沿った壁材３を第１壁材３１といい、第２下地面２２に沿った壁材３を第２壁材３２という。
【００２０】
第１壁材３１の出隅１０側端は、第１下地面２１の出隅１０側端よりも第２下地面２２とは反対側に控えて位置している。第１下地面２１の出隅１０側の端部は、第１壁材３１では覆わない非覆部３４となっている。同様に第２壁材３２の出隅１０側端は、第２下地面２２の出隅１０側端よりも第１下地面２１とは反対側に控えて位置している。第２下地面２２の出隅１０側の端部は、第２壁材３２では覆われてない非覆部３５となっている。
【００２１】
（出隅部材）
図１に示すように、壁下地１の出隅１０の屋外側には、壁材３の段数と同数の出隅部材４が、上下方向に複数並んでいる。出隅部材４は、複数の壁材３の各段において一対の壁材３１，３２の各出隅１０側の端部を覆っている。
【００２２】
図４及び図５Ａ〜図５Ｄに示す本実施形態の出隅部材４は、上下方向に延びた長尺状の金属製部材であり、金属板を曲げ加工することで形成される。
【００２３】
図１に示すように、出隅部材４の上下長さは、対応する一対の壁材３１，３２の各々の上下長さよりも短い。また、出隅部材４の上下長さは、対応する一対の壁材３１，３２の各々における上下方向の働き幅（上段の壁材３によって覆われずに露出した部分の上下長さ）よりも長い。
【００２４】
本実施形態の出隅部材４は、図４に示すように、カバー部４０と、一対の係止部４１，４２と、一対の固定部５１，５２とを備えている。
【００２５】
カバー部４０は、図３に示すように、壁下地１の出隅１０を含むコーナー部分に沿って水平断面Ｌ字状に形成されている。カバー部４０は、平面視で略直角に交わった一対のカバー板部４０１，４０２を備えている。以下、必要に応じて、一対のカバー板部４０１，４０２のうち、第１壁材３１側に位置するカバー板部４０１を第１カバー板部４０１といい、第２壁材３２側に位置するカバー板部４０２を第２カバー板部４０２という。
【００２６】
第１カバー板部４０１は、第１壁材３１の表面と平行な平板状に形成されている。第２カバー板部４０２は、第１カバー板部４０１の第１壁材３１とは反対側端から略直角に突出し、第２壁材３２の表面と平行な平板状に形成されている。
【００２７】
カバー部４０は、第１壁材３の出隅１０側の端部から第２壁材３の出隅１０側の端部に亘ってカバーする。具体的に第１カバー板部４０１における出隅１０とは反対側（第２カバー板部４０２とは反対側）の端部は、第１壁材３の出隅１０側の端部の表面に沿っており、第２カバー板部４０２における出隅１０とは反対側（第１カバー板部４０１とは反対側）の端部は、第２壁材３の出隅１０側の端部の表面に沿っている。これにより、第１カバー板部４０１と第２カバー板部４０２とで、第１壁材３の出隅１０側の端部、第２壁材３の出隅１０側の端部及び第１壁材３と第２壁材３との間の隙間３３が屋外側から覆われている。
【００２８】
図４に示すように、本実施形態の各カバー板部４０１，４０２は、上下方向に長い矩形板状の本体部４３と、本体部４３における出隅１０とは反対側の端部から上方に延び出た矩形板状の延出部４４とを備えている。図３に示すように、各カバー板部４０１，４０２は、本体部４３における出隅１０とは反対側の端部と、延出部４４とが、対応する壁材３１，３２の出隅１０側の端部の表面に沿って配置されている。
【００２９】
図４に示すようにカバー部４０の下端部の裏側には、一対の係止部４１，４２が形成されている。各係止部４１，４２は、対応するカバー板部４０１（本体部４３）の下端から壁下地１側に向かって延びた下片部４５と、下片部４５の壁下地１側端から上方に延びた係止片部４６とを備えている。
【００３０】
図２に示すように、一対の係止部４１，４２のうちの一方の係止部４１である第１係止部４１は、第１壁材３１の下端部の裏面に係止されており、他方の係止部４２である第２係止部４２は第２壁材３２の下端部の裏面に係止されている。具体的に各係止部４１，４２の下片部４５は対応する壁材３１，３２の下端面に沿って配置され、各係止部４１，４２の係止片部４６は対応する壁材３１，３２の裏面に係止される。これにより、出隅部材４の下端部は、第１壁材３１の屋外側、第２壁材３２の屋外側及び上方への移動が規制されている。
【００３１】
図４に示すカバー部４０の両側端部における上端部（本体部４３の上端部と延出部４４）は、当該出隅部材４の両側に配置された一対の壁材３１，３２と、この上段に配置された一対の壁材３１，３２との間に差し込まれている。このため、当該出隅部材４の両側に配置された一対の壁材３１，３２と、この上段に配置された一対の壁材３１，３２との間に浸入した雨水が、図２の矢印に示すように横走りしたとしても、この雨水は出隅部材４のカバー部４０で受けられて、下方に排出される。したがって、前記横走りした雨水は、一対の壁材３１，３２の間の壁下地１に至り難い。
【００３２】
図４に示すように、カバー部４０の上端部には、壁下地１に当接固定される一対の固定部５１，５２が形成されている。一対の固定部５１，５２は、一対のカバー板部４０１，４０２にそれぞれ繋がっており、対応するカバー板部４０１，４０２から壁下地１側に向かって延びている。以下、必要に応じて、第１カバー板部４０１に繋がった固定部５１を第１固定部５１といい、第２カバー板部４０２に繋がった固定部を第２固定部５２という。
【００３３】
本実施形態の各固定部５１，５２は、壁下地１に当接固定される固定片部５３と、対応するカバー板部４０１，４０２から壁下地１側に向かって延びて当該カバー板部４０１，４０２と固定片部５３とを連結する連結片部５４とを有している。
【００３４】
固定片部５３は延出部４４と略平行で対応する下地板１１０，１１１に沿った板状に形成されている。本実施形態の連結片部５４は、延出部４４の出隅１０側端から対応する壁材３１，３２の出隅１０側端に沿って壁下地１側に延びており、鉛直方向に広がって延出部４４に対して垂直な板状に形成されている。また、本実施形態の連結片部５４の壁下地１側端は、固定片部５３の出隅１０とは反対側の端に連結されており、固定片部５３は連結片部５４から出隅１０側に向かって突出している。
【００３５】
図３に示すように、各固定部５１，５２の連結片部５４は、対応する壁材３１，３２の出隅１０側端に当接する当接部５５，５６を構成している。すなわち、第１固定部５１の連結片部５４は、第１壁材３１の出隅１０側端に当接する当接部５５を構成し、第２固定部５２の連結片部５４は、第２壁材３２の出隅１０側端に当接する当接部５６を構成している。各固定部５１，５２の連結片部５４が、対応する壁材３１，３２の出隅１０側端に当接することで、出隅部材４の両側端部は、壁材３に対して位置決めされている。
【００３６】
図４に示すように、各固定部５１，５２の固定片部５３には、厚み方向に貫通した固着具用孔５７が形成されている。各固定部５１，５２の固定片部５３は、図３に示すように、対応する下地面２１，２２の非覆部３４，３５に沿って配置されており、当該非覆部３４，３５に当接している。各固定部５１，５２の固定片部５３は、固着具用孔５７に挿通された釘等の固着具７０によって壁下地１に固定されている。
【００３７】
このように本実施形態の各固定部５１，５２は、壁下地１に当接固定されるため、壁下地１側に向かう外力が加わっても変形し難い。
【００３８】
また、本実施形態の各固定部５１，５２は、一対の壁材３１，３２の間において固着具７０で固定されるため、一対の壁材３１，３２には固着具７０を挿通させるための孔を設ける必要がない。また、この孔は壁材３１，３２を割れ難くするために壁材３１，３２の出隅１０側端から離れた位置に形成する必要があり、これに伴って出隅部材４の幅を大きくする必要があるが、本実施形態ではこの孔を設ける必要がないので出隅部材４の幅を小さくすることもできる。
【００３９】
図１〜図３に示すように、出隅部材４の上端部の屋外側には、上段の出隅部材４の下端部が重なっている。これにより、出隅部材４の図４に示す各カバー板部４０１，４０２の上端部（本体部４３の上端部と延出部４４）と、両延出部４４の間の部分（一対の固定部５１，５２）は、上段の出隅部材４によって覆われている。
【００４０】
（施工）
図１に示す複数の壁材３及び複数の出隅部材４は、例えば以下のように施工される。まず、壁下地１の第１下地面２１及び第２下地面２２の各々に、複数の壁材３が上下方向に複数段鎧張りされる。このとき、壁材３は第１下地面２１及び第２下地面２２の各々において、下方の壁材３から順に施工される。すなわち、各下地面２１，２２においては、まず、最下段の壁材３が施工される。この最下段の壁材３の施工は、壁材３を壁下地１に沿って配置し、この後、複数の固着具を壁材３を通して壁下地１に打入することで行われる。
【００４１】
次に下から２段目の壁材３が施工される。このとき、壁材３は、その下部が下段の壁材３の上部の屋外側に重ねられ、この状態で複数の固着具が壁材３の上端部を通して壁下地１に打入されることで、壁下地１に固定される。そして、以後同様に、下段の壁材３の上部に上段の壁材３の下部が重なるように１段ずつ複数の壁材３が順に施工され、これにより、第１下地面２１及び第２下地面２２の各々において、上下複数段の壁材３が固定される。
【００４２】
次に複数の出隅部材４が施工される。複数の出隅部材４は、下方の出隅部材４から順に施工される。最下段の出隅部材４の施工では、まず、出隅部材４が、図４に示す一対の係止部４１，４２が最下段の一対の壁材３１，３２の下側に位置するように配置され、この後、出隅部材４が上側に移動される。これにより、各係止部４１，４２の係止片部４６が、対応する壁材３１，３２と壁下地１との間に下方から差し込まれて、対応する壁材３１，３２に係止される（図２参照）。また、一対のカバー板部４０１，４０２の各々の出隅１０とは反対側の端部が、対応する壁材３１，３２の出隅１０側の端部と、この上段の壁材３１，３２の出隅１０側の端部との間に差し込まれ、かつ各固定部５１，５２の固定片部５３が、対応する一対の壁材３１，３２の間において、それぞれ第１下地面２１及び第２下地面２２に沿って配置される（図３参照）。
【００４３】
そして、このように各係止部４１，４２が対応する壁材３１，３２の下端部に係止された状態で、複数の固着具７０（図３参照）が対応する固着具用孔５７を通して壁下地１に打入されることで、出隅部材４は壁下地１に固定される。
【００４４】
このように複数の固着具７０が壁下地１に打入されるとき、各固定部５１，５２には壁下地１側に向かう外力が加わるが、出隅部材４の各固定部５１，５２が壁下地１に当接して壁下地１で支持されるため、出隅部材４が変形し難い。
【００４５】
また、複数の固着具７０が壁下地１に打入されるとき、各当接部５５，５６は対応する壁材３１，３２の出隅１０側端に当接して位置決めされる。このため、出隅部材４が壁下地１側に押されても、出隅部材４の両側端部の各々が対応する壁材３１，３２側に押し込まれて動くことが抑制される。したがって、作業者は出隅部材４を固着具７０を用いて壁下地１に簡単に固定することができる。
【００４６】
次に下から２段目の出隅部材４が施工される。この出隅部材４の施工も、最下段の出隅部材４と同様である。すなわち、出隅部材４が上方に移動されて、図２に示すように、各係止部４１，４２の係止片部４６が、対応する壁材３１，３２とこの裏側に位置する下段の壁材３１，３２との間に下方から差し込まれ、これにより、対応する壁材３１，３２に係止される。また、このように出隅部材４が上方に移動されることで、図３に示すように各カバー板部４０１，４０２の各々の出隅１０とは反対側の端部が、対応する壁材３１，３２の出隅１０側の端部と、この上段の壁材３１，３２の出隅１０側の端部との間に差し込まれ、かつ各固定部５１，５２の固定片部５３が、対応する一対の壁材３１，３２の間において、それぞれ壁下地１の第１下地面２１及び第２下地面２２に沿って配置される。そして、この状態で、複数の固着具７０が対応する固着具用孔５７を通して壁下地１に打入される。これにより出隅部材４は対応する一対の壁材３１，３２の間において壁下地１に固定される。そして、以後同様に、下方に位置する出隅部材４から順番に施工され、これにより、上下複数の出隅部材４が、壁下地１に固定される。
【００４７】
本実施形態では、複数の出隅部材４が、上下複数段の壁材３の施工後に施工されるため、複数の壁材３を施工するにあたって、例えば第１下地面２１に上下複数段の壁材３を鎧張り施工した後、第２下地面２２に上下複数段の壁材３を鎧張り施工することができ、複数の壁材３を第１下地面２１及び第２下地面２２の各々で独立して施工することができる。
【００４８】
なお、各出隅部材４は、壁下地１の第１下地面２１及び第２下地面２２に、壁材３が一段施工される度に施工されてもよい。この場合、出隅部材４を施工するときには、対応する一対の壁材３１，３２よりも上段の壁材３１，３２は未だ施工されていないため、出隅部材４を施工するときに上段の壁材３１，３２が邪魔にならず、出隅部材４を容易に施工することが可能になる。
【００４９】
（変形例１）
次に変形例１について説明する。なお、以下の変形例１の説明では、前記実施形態と共通する構成については同一の符号を付して説明を省略する。
【００５０】
図６に本変形例の出隅構造を示す。本変形例の出隅構造において用いられる出隅部材４Ａは、図７に示すように、一対の固定部５１，５２に代わる一対の固定部５１Ａ，５２Ａを備えている。すなわち、出隅部材４Ａは、カバー部４０と、一対の係止部４１，４２と、一対の固定部５１Ａ，５２Ａとを備えている。
【００５１】
各固定部５１Ａ，５２Ａは、対応するカバー板部４０１，４０２から壁下地１側に向かって延びて当該カバー板部４０１，４０２と固定片部５３とを連結する連結片部５４Ａを有している。
【００５２】
各固定部５１Ａ，５２Ａの連結片部５４Ａは、カバー部４０の本体部４３の上端から対応する壁材３１，３２の出隅１０側端に沿って壁下地１側に延びており、水平方向に広がって対応するカバー板部４０１，４０２に対して垂直な板状に形成されている。また、各固定部５１Ａ，５２Ａの連結片部５４Ａの壁下地１側端は、対応する固定片部５３の下端に連結されており、各固定部５１Ａ，５２Ａの固定片部５３は対応する連結片部５４Ａから上方に突出している。
【００５３】
本変形例では、各固定部５１Ａ，５２Ａの連結片部５４Ａは、当接部５５，５６を構成している。各固定部５１Ａ，５２Ａの連結片部５４Ａ（当接部５５，５６）は、出隅１０とは反対側の端が対応する壁材３１，３２の出隅１０側端に当接し、これにより出隅部材４は壁材３に対して位置決めされる。本変形例の各連結片部５４Ａは、対応する壁材３１，３２の出隅１０側端面に対して垂直な板状であるため、対応する壁材３１，３２の出隅１０側端に当接したときに変形し難い。このため、出隅部材４Ａを壁材３に対してしっかりと位置決めした状態で壁下地１に固定することができる。
【００５４】
（変形例２）
次に変形例２について説明する。なお、以下の変形例２の説明では、前記実施形態と共通する構成については同一の符号を付して説明を省略する。
【００５５】
図８に変形例２の出隅構造を示す。本変形例の出隅構造において用いられる出隅部材４Ｂは、図９に示すように、カバー部４０に代わるカバー部４０Ｂと、一対の固定部５１，５２に代わる一つの固定部５１Ｂとを備えている。すなわち、出隅部材４Ｂは、一対の係止部４１，４２と、カバー部４０Ｂと、固定部５１Ｂとを備える。
【００５６】
カバー部４０Ｂは、一対のカバー板部４０１Ｂ，４０２Ｂを備えている。各カバー板部４０１Ｂ，４０２Ｂは、本体部４３と、延出部４４に代わる延出部４４Ｂとを備えている。各カバー板部４０１Ｂ，４０２Ｂの延出部４４Ｂは、延出部４４よりも幅広に形成されている。各カバー板部４０１Ｂ，４０２Ｂの延出部４４Ｂは、その出隅１０側端が本体部４３の出隅１０側の端部に位置している。
【００５７】
固定部５１Ｂは、例えばカバー部４０Ｂを構成する水平断面Ｌ字状の板金の角の上端部を壁下地１側に曲げることで形成されている。固定部５１Ｂは、一対の当接片部５９Ｂ，６０Ｂと、底片部６１Ｂとを有している。一対の当接片部５９Ｂ，６０Ｂは、一対の延出部４４Ｂの出隅１０側端からそれぞれ壁下地１側に向かって延びている。各当接片部５９Ｂ，６０Ｂは、鉛直な板状に形成されている。
【００５８】
底片部６１Ｂは、平面視矩形状で水平な板状に形成されている。底片部６１Ｂは、壁下地１側の２辺が一対の当接片部５９Ｂ，６０Ｂの下端にそれぞれ繋がり、屋外側の２辺が一対の本体部４３の上端にそれぞれ繋がっている。
【００５９】
本変形例の一対の当接片部５９Ｂ，６０Ｂの各々は、出隅１０とは反対側の面が対応する壁材３１，３２の出隅１０側端に当接する。すなわち、本変形例では、各当接片部５９Ｂ，６０Ｂが当接部５５，５６を構成している。
【００６０】
本変形例の出隅部材４Ｂは、図８に示すように、平面視で直角に交わった一対の当接片部５９Ｂ，６０Ｂの境界部分が、壁下地１の出隅１０に当接する。そして、この境界部分に、釘等の固着具７０Ｂが屋外側から挿通され、この固着具７０Ｂが壁下地１に打入されることで、出隅部材４Ｂは壁下地１に固定される。ここで、一対の当接片部５９Ｂ，６０Ｂの境界部分は入隅となるため、作業者はこの入隅を利用して固着具７０Ｂの先端を位置決めし、この状態で、固着具７０Ｂを壁下地１に簡単に打ち込むことができる。
【００６１】
（変形例３）
次に変形例３について説明する。なお、以下の変形例３の説明では、前記実施形態と共通する構成については同一の符号を付して説明を省略する。
【００６２】
図１０及び図１１に本変形例の出隅構造を示す。図１２Ａ及び図１２Ｂに、本変形例の出隅構造において用いられる出隅部材４Ｃを示す。
【００６３】
本変形例の出隅部材４Ｃは、カバー部４０に代わるカバー部４０Ｃと、一対の固定部５１，５２に代わる一対の固定部５１Ｃ，５２Ｃとを備えている。すなわち、出隅部材４Ｃは、カバー部４０Ｃと、一対の係止部４１，４２と、一対の固定部５１Ｃ，５２Ｃとを備えている。
【００６４】
図１０に示すように、カバー部４０Ｃの上下長さは、対応する一対の壁材３１，３２の各々の上下長さよりも長い。図１１に示すように、カバー部４０Ｃは、平面視で略直角に交わった一対のカバー板部４０１Ｃ，４０２Ｃを備えている。以下、必要に応じて、一対のカバー板部４０１Ｃ，４０２Ｃのうち、第１壁材３１側に位置するカバー板部４０１Ｃを第１カバー板部４０１Ｃといい、第２壁材３２側に位置するカバー板部４０２Ｃを第２カバー板部４０２Ｃという。
【００６５】
第１カバー板部４０１Ｃは、第１壁材３１の表面と平行な平板状に形成されている。第２カバー板部４０２Ｃは、第１カバー板部４０１Ｃの第１壁材３１とは反対側端から略直角に突出し、第２壁材３２の表面と平行な平板状に形成されている。各カバー板部４０１Ｃ，４０２Ｃは、上下方向に長い矩形板状に形成されている。
【００６６】
カバー部４０Ｃは、第１壁材３の出隅１０側の端部から第２壁材３の出隅１０側の端部に亘ってカバーする。具体的に第１カバー板部４０１Ｃにおける出隅１０とは反対側（第２カバー板部４０２Ｃとは反対側）の端部は、第１壁材３の出隅１０側の端部の表面に沿っており、第２カバー板部４０２Ｃにおける出隅１０とは反対側（第１カバー板部４０１Ｃとは反対側）の端部は、第２壁材３の出隅１０側の端部の表面に沿っている。これにより、第１カバー板部４０１Ｃと第２カバー板部４０２Ｃとで、第１壁材３の出隅１０側の端部、第２壁材３の出隅１０側の端部及び第１壁材３と第２壁材３との間の隙間３３が屋外側から覆われている。
【００６７】
図１０に示すように、各カバー板部４０１Ｃ，４０２Ｃの上下長さは、対応する壁材３１，３２の上下長さよりも長い。各カバー板部４０１Ｃ，４０２Ｃの出隅１０とは反対側の端部は、対応する壁材３１，３２の出隅１０側の端部を上下方向の全長に亘ってカバーしている。このため、図１１の矢印に示すように、出隅部材４Ｃの両側に配置された一対の壁材３１，３２と、この上段に配置された一対の壁材３１，３２との間を横走りした雨水は、対応するカバー板部４０Ｃに受けられやすい。したがって、前記横走りした雨水は、一対の壁材３１，３２の間の壁下地１に至り難い。
【００６８】
図１０に示すように、各カバー板部４０１Ｃ，４０２Ｃの上端部は、当該出隅部材４Ｃの両側に配置された一対の壁材３１，３２よりも上方に突出している。
【００６９】
図１２Ａ及び図１２Ｂに示すように、一対の固定部５１Ｃ，５２Ｃの各々は、固定片部５３Ｃと、連結片部５４Ｃとを有している。固定片部５３Ｃは、壁下地１に当接固定される。連結片部５４Ｃは、対応するカバー板部４０１Ｃ，４０２Ｃから壁下地１側に向かって延びて当該カバー板部４０１Ｃ，４０２Ｃと固定片部５３Ｃとを連結する。
【００７０】
図１１に示すように、各固定部５１Ｃ，５２Ｃの固定片部５３Ｃは、対応する下地板１１０，１１１に沿った板状に形成されている。図１１、図１２Ａ及び図１２Ｂに示すように、各固定部５１Ｃ，５２Ｃの連結片部５４Ｃは、対応するカバー板部４０１Ｃ，４０２Ｃの上端から対応する壁材３１，３２の出隅１０側端に沿って壁下地１側に延びている。各固定部５１Ｃ，５２Ｃの連結片部５４Ｃは、水平方向に広がっており、対応するカバー板部４０１Ｃ，４０２Ｃに対して垂直な板状に形成されている。
【００７１】
各固定部５１Ｃ，５２Ｃの連結片部５４Ｃの壁下地１側端は、対応する固定片部５３Ｃの下端に連結されており、各固定部５１Ｃ，５２Ｃの固定片部５３Ｃは対応する連結片部５４Ｃから上方に向かって突出している。
【００７２】
各固定部５１Ｃ，５２Ｃの固定片部５３Ｃは、対応するカバー板部４０１Ｃ，４０２Ｃよりも出隅１０とは反対側に向かって突出した突出部分５３０Ｃを有している。一対の固定部５１Ｃ，５２Ｃの突出部分５３０Ｃは、当該出隅部材４Ｃの両側に配置された一対の壁材３１，３２よりも上方において、対応する下地板１１に沿って配置されている。
【００７３】
各固定部５１Ｃ，５２Ｃの突出部分５３０Ｃは、対応する壁材３１，３２の一段上の壁材３１，３２の壁下地１側に配置されている。各固定部５１Ｃ，５２Ｃの固定片部５３Ｃの突出部分５３０Ｃには、固定片部５３Ｃの厚み方向に貫通した固着具用孔５７Ｃが形成されている。
【００７４】
図１１に示すように、各固定部５１Ｃ，５２Ｃの固着具用孔５７Ｃには、固着具７０が挿通されている。各固定部５１Ｃ，５２Ｃの固着具用孔５７Ｃに挿通された固着具７０は、壁下地１に打ち込まれている。これにより、各固定部５１Ｃ，５２Ｃは、壁下地１に固定されている。
【００７５】
図１２Ａ及び図１２Ｂに示すように、一対の固定部５１Ｃ，５２Ｃの一方に形成された固着具用孔５７Ｃと、他方に形成された固着具用孔５７Ｃとは、上下方向において位置がずれている。このため、一方の固定部５１Ｃの固着具用孔５７Ｃを通して壁下地１に打ち込まれた固着具７０と、他方の固定部５２Ｃの固着具用孔５７を通して壁下地１に打ち込まれた固着具７０とは、壁下地１の内部において接触し難くなり、施工が容易になる。
【００７６】
本変形例の各出隅部材４Ｃは、図１０に示すように、対応する一対の壁材３１，３２が施工された後、かつ、当該一対の壁材３１，３２の上段の一対の壁材３１，３２が施工される前において、施工される。すなわち、本変形例の各出隅部材４Ｃは、壁下地１の第１下地面２１及び第２下地面２２に、各段の壁材３が施工される度に施工される。
【００７７】
（効果）
以上説明した実施形態及び各変形例の出隅構造は、出隅１０を有する壁下地１に複数の壁材３が上下方向に複数段鎧張りされ、その各段において、出隅１０の両側に位置する一対の壁材３１，３２の各出隅１０側の端部が出隅部材４，４Ａ〜４Ｃによって覆われた出隅構造であって、以下に示す特徴を有している。出隅部材４，４Ａ〜４Ｃは、壁下地１に当接固定される固定部５１，５１Ａ〜５１Ｃ，５２，５２Ａ，５２Ｃを備える。以下、この出隅構造を第１の態様の出隅構造という。
【００７８】
第１の態様の出隅構造にあっては、固定部５１，５１Ａ〜５１Ｃ，５２，５２Ａ，５２Ｃが壁下地１に直に接触するので、固定部５１，５１Ａ〜５１Ｃ，５２，５２Ａ，５２Ｃと壁下地１との間に隙間が介在せず、固定部５１，５１Ａ〜５１Ｃ，５２，５２Ａ，５２Ｃの変形を防ぐことが可能となる。また、この態様においては、出隅部材４，４Ａ〜４Ｃの固定に際して、壁材３に釘等の固着具を打ち込む必要がないため、壁材３にクラック等が発生するのを防ぐことができる。また、出隅部材４，４Ａ〜４Ｃを幅広にする必要がないため、外観上、スマートな印象を与えることができる。
【００７９】
また、前記実施形態及び変形例１，２の出隅構造は、第１の態様の出隅構造が有する特徴に加えて、以下に示す付加的な特徴を有する。出隅部材４，４Ａ，４Ｂは、壁下地１に固定されており、一対の壁材３１，３２における出隅１０側端と当接する当接部５５，５６を備える。以下、この出隅構造を第２の態様の出隅構造という。
【００８０】
第２の態様の出隅構造では、出隅部材４，４Ａ，４Ｂの当接部５５，５６を一対の壁材３１，３２における出隅１０側端と当接することで、出隅部材４，４Ａ，４Ｂを壁材３１，３２に対して簡単に位置決めして施工することができる。
【００８１】
また、前記実施形態及び変形例１，２の出隅構造は、第２の態様の出隅構造が有する特徴に加えて、以下に示す付加的な特徴を有する。出隅部材４，４Ａ，４Ｂは、一対の壁材３１，３２のうちの一方の壁材３１の出隅１０側の端部から他方の壁材３２の出隅１０側の端部に亘ってカバーするカバー部４０，４０Ｂを更に備える。固定部５１，５１Ａ，５１Ｂ，５２，５２Ａは、カバー部４０，４０Ｂから壁下地１側に向かって延びて、壁下地１に当接固定される。固定部５１，５１Ａ，５１Ｂ，５２，５２Ａに当接部５５，５６が設けられている。以下、この出隅構造を第３の態様の出隅構造という。
【００８２】
第３の態様の出隅構造は、固定部５１，５１Ａ，５１Ｂ，５２，５２Ａの一部を当接部５５，５６として利用することができ、出隅部材４，４Ａ，４Ｂの形状を簡素化できる。
【００８３】
また、前記実施形態及び変形例１の出隅構造は、第３の態様の出隅構造が有する特徴に加えて、以下に示す付加的な特徴を有する。固定部５１，５１Ａ，５２，５２Ａは、壁下地１に当接固定される固定片部５３と、カバー部４０から壁下地１側に延びてカバー部４０と固定片部５３とを連結する連結片部５４，５４Ａと、を有する。連結片部５４，５４Ａが壁材３の出隅１０側端に当接する当接部５５，５６を兼ねる。以下、この出隅構造を第４の態様の出隅構造という。
【００８４】
第４の態様の出隅構造は、連結片部５４，５４Ａが当接部５５，５６を兼ねるため、出隅部材４の形状を簡素化できる。
【００８５】
また、変形例３の出隅構造は、第１の態様の出隅構造が有する特徴に加えて、以下に示す付加的な特徴を有する。出隅部材４Ｃは、一対の壁材３１，３２の各々における、出隅１０側の端部を上下方向の全長に亘ってカバーするカバー部４０Ｃを更に備える。以下、この出隅構造を第５の態様の出隅構造という。
【００８６】
第５の態様の出隅構造は、一対の壁材３１,３２の各々における、出隅１０側の端部が、カバー部４０Ｃにより上下方向の全長に亘ってカバーされる。このため、一対の壁材３１,３２と、この上段に配置された一対の壁材３１，３２との間を横走りした雨水をカバー部４０Ｃで受けて、一対の壁材３１，３２の間の壁下地１に雨水を至り難くすることができる。
【００８７】
また、前記実施形態及び各変形例の出隅部材４，４Ａ〜４Ｃは、出隅１０を有する壁下地１に複数の壁材３が上下方向に複数段鎧張りされ、その各段において、出隅１０の両側に位置する一対の壁材３１，３２の各出隅１０側の端部を覆う出隅部材４，４Ａ〜４Ｃであって、以下に示す特徴を有している。出隅部材４，４Ａ〜４Ｃは、壁下地１に当接固定される固定部５１，５１Ａ〜５１Ｃ，５２，５２Ａ，５２Ｃを備える。以下、この特徴を有する出隅部材４を第１の態様の出隅部材４，４Ａ〜４Ｃという。
【００８８】
第１の態様の出隅部材４，４Ａ〜４Ｃは、固定部５１，５１Ａ〜５１Ｃ，５２，５２Ａ，５２Ｃを壁下地１に直に接触した状態で固定することができる。このため、固定部５１，５１Ａ〜５１Ｃ，５２，５２Ａ，５２Ｃと壁下地１との間に隙間が介在せず、固定部５１，５１Ａ〜５１Ｃ，５２，５２Ａ，５２Ｃの変形を防ぐことが可能となる。
【符号の説明】
【００８９】
１  壁下地
１０  出隅
３  壁材
３１  第１壁材
３２  第２壁材
４，４Ａ〜４Ｃ  出隅部材
４０，４０Ｂ，４０Ｃ  カバー部
５１，５１Ａ〜５１Ｃ  固定部
５２，５２Ａ，５２Ｃ  固定部
５３  固定片部
５４，５４Ａ  連結片部
５５  当接部
５６  当接部
【図１】
2019002267.tif 000003
【図２】
2019002267.tif 000004
【図３】
2019002267.tif 000005
【図４】
2019002267.tif 000006
【図５】
2019002267.tif 000007
【図６】
2019002267.tif 000008
【図７】
2019002267.tif 000009
【図８】
2019002267.tif 000010
【図９】
2019002267.tif 000011
【図１０】
2019002267.tif 000012
【図１１】
2019002267.tif 000013
【図１２】
2019002267.tif 000014